(57)【要約】【課題】フィルム状微小片を効率よく除去し得る研磨用組成物の製造方法を提供する。【解決手段】コロイダルシリカ砥粒含有液を用いて研磨用組成物を製造する方法が提供される。この方法では、前記コロイダルシリカ砥粒含有液は、フィルタによって濾過されている。また、前記フィルタは、平均繊維径ＤＡＶＥが１μｍ未満のフィルタ繊維から構成されたフィルタ繊維層を備える。【選択図】なし【特許請求の範囲】
【請求項１】
コロイダルシリカ砥粒含有液を用いて研磨用組成物を製造する方法であって、
前記コロイダルシリカ砥粒含有液は、フィルタによって濾過されており、
前記フィルタは、平均繊維径ＤＡＶＥが１μｍ未満のフィルタ繊維から構成されたフィルタ繊維層を備える、研磨用組成物の製造方法。
【請求項２】
前記濾過前のコロイダルシリカ砥粒含有液はフィルム状微小片を含み、
前記フィルム状微小片は１μｍ以上の長径と０．１μｍ未満の厚さとを有する、請求項１に記載の製造方法。
【請求項３】
前記フィルム状微小片の長径Ｌに対する前記フィルタ繊維の平均繊維径ＤＡＶＥの比（ＤＡＶＥ／Ｌ）は１／２以下である、請求項２に記載の製造方法。
【請求項４】
前記フィルム状微小片の厚さＴに対する長径Ｌの比（Ｌ／Ｔ）は１００以上である、請求項２または３に記載の製造方法。
【請求項５】
前記フィルタ繊維は、１μｍ未満の繊維径の比率が５０％以上である、請求項１〜４のいずれか一項に記載の製造方法。
【請求項６】
前記フィルタ繊維はカチオン化処理されている、請求項１〜５のいずれか一項に記載の製造方法。
【請求項７】
前記フィルタによる濾過は、式：
ＮＡ／ＮＢ≦１５／１００
；を満足する、
ここで、ＮＢは、該濾過前におけるコロイダルシリカ砥粒含有液の単位体積当たりのフィルム状微小片の個数を示し、ＮＡは、該濾過後におけるコロイダルシリカ砥粒含有液の単位体積当たりのフィルム状微小片の個数を示す、請求項１〜６のいずれか一項に記載の製造方法。
【請求項８】
コロイダルシリカ砥粒を含有する研磨液を被研磨物に供給する供給工程と、該被研磨物の表面を前記研磨液で研磨する研磨工程と、を含む研磨物の製造方法であって、
前記研磨液は、前記供給工程の前に、コロイダルシリカ砥粒を含有する少なくとも一部がフィルタによって濾過されており、
前記フィルタは、平均繊維径ＤＡＶＥが１μｍ未満のフィルタ繊維から構成されたフィルタ繊維層を備える、研磨物の製造方法。
【発明の詳細な説明】
【技術分野】
【０００１】
本発明は研磨用組成物に関する。
【背景技術】
【０００２】
従来より、金属や半金属、非金属、その酸化物等の材料表面に対して研磨液を用いた研磨加工が行われている。上記研磨液としては、例えばコロイダルシリカ等のシリカ砥粒を含むものが好ましく用いられている。これら研磨液や研磨液に用いられる成分は、一般に表面平滑性低下の原因となり得る粗大粒子や異物を除去、低減することを目的として各種フィルタによって濾過された後、研磨に供される。例えば特許文献１には、ケイ酸アルカリ含有液を出発原料とするコロイダルシリカの製造において実施されるフィルタ濾過が開示されている。特許文献２〜４は、研磨用組成物の製造におけるフィルタ濾過に関する技術文献である。
【先行技術文献】
【特許文献】
【０００３】
【特許文献１】国際公開第２０１３／０３９２１２号
【特許文献２】特開２０１２−１４３８５９号公報
【特許文献３】特開２０１２−１４３８２３号公報
【特許文献４】特開２０１２−８６３５７号公報
【発明の概要】
【発明が解決しようとする課題】
【０００４】
ところで、例えば磁気ディスク基板の研磨においては、高容量化のため、高品質な表面が要求されており、従来は問題とされてこなかったレベルでの欠陥抑制が求められている。上記欠陥抑制について検討が行われた結果、砥粒としてコロイダルシリカを含む研磨液による研磨において検出される欠陥のなかに、研磨物表面に付着したフィルム状微小片を原因とするものが含まれていることが明らかになった。このフィルム状微小片は、コロイダルシリカの製造において副次的に生成していることが判明している。この微小片をフィルタ濾過等の手段によって研磨液から除去してしまえば問題は解決するのであるが、上記微小片は、目開きの相当小さいフィルタを通過してしまう。上記微小片はフィルム状の薄膜であるため、変形する等してフィルム状微小片のサイズよりも小さい目開きのフィルタを通過していると推察される。上記微小片を除去するためフィルタの目開きをさらに微細化すれば、短期間で目詰まりするなど濾過寿命の短縮、圧力損失の上昇を招くため、実用的な解決手段とはならない。
【０００５】
本発明は、上述のような事情に鑑みて創出されたものであり、フィルム状微小片を効率よく除去し得る研磨用組成物の製造方法を提供することを目的とする。関連する他の目的は、上記研磨用組成物を用いた研磨物の製造方法を提供することである。
【課題を解決するための手段】
【０００６】
本発明によると、コロイダルシリカ砥粒含有液を用いて研磨用組成物を製造する方法が提供される。この方法では、前記コロイダルシリカ砥粒含有液は、フィルタによって濾過されている。また、前記フィルタは、平均繊維径ＤＡＶＥが１μｍ未満のフィルタ繊維から構成されたフィルタ繊維層を備える。かかる構成によると、コロイダルシリカ砥粒含有液がフィルム状微小片を含む場合に、該フィルム状微小片を効率よく除去することができる。
【０００７】
ここに開示される技術の好ましい一態様では、前記濾過前のコロイダルシリカ砥粒含有液はフィルム状微小片を含む。また、前記フィルム状微小片は１μｍ以上の長径と０．１μｍ未満の厚さとを有する。
上記フィルム状微小片は、所定以上の長さを有するので、小径のフィルタ繊維に捕捉されやすい。この捕捉作用によって、上記フィルム状微小片はより効率的に除去され得る。なお、特に限定的に解釈されるものではないが、上記フィルタ繊維によるフィルム状微小片捕捉作用は、具体的にはフィルム状微小片の長尺部分がフィルタ繊維に絡まる作用であると考えられる。
【０００８】
ここに開示される技術の好ましい一態様では、前記フィルム状微小片の長径Ｌに対する前記フィルタ繊維の平均繊維径ＤＡＶＥの比（ＤＡＶＥ／Ｌ）は１／２以下である。比（ＤＡＶＥ／Ｌ）が１／２以下、すなわちフィルタ繊維の平均繊維径ＤＡＶＥがフィルム状微小片の長径Ｌの半分以下、であることによって、小径のフィルタ繊維によるフィルム状微小片捕捉作用がより好適に発揮され得る。
【０００９】
ここに開示される技術の好ましい一態様では、前記フィルム状微小片の厚さＴに対する長径Ｌの比（Ｌ／Ｔ）は１００以上である。上記比（Ｌ／Ｔ）を有するフィルム状微小片は、小径のフィルタ繊維に捕捉されやすい傾向が大きい。
【００１０】
ここに開示される技術の好ましい一態様では、前記フィルタ繊維は、１μｍ未満の繊維径の比率が５０％以上である。小径のフィルタ繊維を所定以上の比率とすることで、小径のフィルタ繊維によるフィルム状微小片捕捉作用が好適に発揮され得る。
【００１１】
ここに開示される技術の好ましい一態様では、前記フィルタ繊維はカチオン化処理されている。カチオン化処理されたフィルタ繊維は、その静電作用によりフィルム状微小片を効率よく吸着除去することができる。
【００１２】
ここに開示される技術の好ましい一態様では、前記フィルタによる濾過は、式：ＮＡ／ＮＢ≦１５／１００（ＮＢは、該濾過前におけるコロイダルシリカ砥粒含有液の単位体積当たりのフィルム状微小片の個数を示す。ＮＡは、該濾過後におけるコロイダルシリカ砥粒含有液の単位体積当たりのフィルム状微小片の個数を示す。）；を満足する。上記濾過によると、フィルム状微小片が効果的に除去され、研磨後の表面欠陥を高度に低減することができる。
【００１３】
また、本発明によると、コロイダルシリカ砥粒を含有する研磨液を被研磨物に供給する供給工程と、該被研磨物の表面を前記研磨液で研磨する研磨工程と、を含む研磨物の製造方法が提供される。この製造方法では、前記研磨液は、前記供給工程の前に、コロイダルシリカ砥粒を含有する少なくとも一部がフィルタによって濾過されている。また、前記フィルタは、平均繊維径ＤＡＶＥが１μｍ未満のフィルタ繊維から構成されたフィルタ繊維層を備える。かかる構成によると、研磨液からフィルム状微小片が効率よく除去されているので、研磨後の表面欠陥を高度に低減することができる。したがって、上記製造方法によると、表面欠陥が高度に低減された研磨物が提供される。また、前記研磨液の前記少なくとも一部は、前記ろ過工程前においてはフィルム状微小片を含み、前記微小片は１μｍ以上の長径と０．１μｍ未満の厚さとを有することが好ましい。なお、この明細書において上記コロイダルシリカ砥粒を含有する少なくとも一部とは、研磨用組成物や研磨液そのものであってもよく、例えば研磨液の製造に用いられるコロイダルシリカ砥粒含有液であってもよい。
【００１４】
さらに、本発明によると、コロイダルシリカ砥粒を含有する研磨液を被研磨物に供給する供給工程と、該被研磨物の表面を前記研磨液で研磨する研磨工程と、を含む研磨方法が提供される。この方法では、前記研磨液は、前記供給工程の前に、コロイダルシリカ砥粒を含有する少なくとも一部がフィルタによって濾過されている。また、前記フィルタは、平均繊維径ＤＡＶＥが１μｍ未満のフィルタ繊維から構成されたフィルタ繊維層を備える。
【図面の簡単な説明】
【００１５】
【図１】フィルム状微小片を拡大して示すＳＥＭ画像である。
【図２】フィルム状微小片の捕捉作用を説明するための模式図である。
【図３】フィルム状微小片の捕捉作用を説明するための模式図である。
【発明を実施するための形態】
【００１６】
以下、本発明の好適な実施形態を説明する。なお、本明細書において特に言及している事項以外の事柄であって本発明の実施に必要な事柄は、当該分野における従来技術に基づく当業者の設計事項として把握され得る。本発明は、本明細書に開示されている内容と当該分野における技術常識とに基づいて実施することができる。
【００１７】
＜研磨用組成物の製造方法＞
ここに開示される研磨用組成物の製造は、コロイダルシリカ砥粒を含有する液（以下、「コロイダルシリカ砥粒含有液」ともいう。）を用いて行う。この明細書において「コロイダルシリカ砥粒含有液を用いて」とは、コロイダルシリカ砥粒含有液に各種成分を添加、混合すること、コロイダルシリカ砥粒含有液を希釈（典型的には、水により希釈）すること等の操作のいずれか１つの操作を単独で行って研磨用組成物を製造すること、上記操作のうち２以上の操作を組み合わせて研磨用組成物を製造すること、を包含する。あるいは、コロイダルシリカ砥粒含有液をそのまま研磨用組成物として使用することも上記「コロイダルシリカ砥粒含有液を用いて」に包含される。
【００１８】
（濾過対象）
ここに開示されるコロイダルシリカ砥粒含有液は、コロイダルシリカ砥粒とともにフィィルム状微小片を含む。この微小片は、図１に示すように典型的には矩形状（具体的には長方形状）を有するフィルム（換言すると、薄板または薄膜）である。この微小片は、多くは長方形状の形態で存在しており、通常、長辺の長さは凡そ１μｍ以上（典型的には凡そ１〜３μｍ）であり、短辺の長さは凡そ０．１μｍ以上（典型的には凡そ０．１〜０．３μｍ）であり、厚さは凡そ０．１μｍ未満（典型的には凡そ０．０２〜０．０５μｍ）である。したがって、長辺と短辺との比によっては、フィルム状微小片の形状は短冊状、帯状と表現され得る。このようなフィルム状微小片は、研磨液に含まれた状態で被研磨物に供給されると、被研磨物表面に面接触により付着する。そして、この面接触による付着は、フィルム状微小片が薄厚であることもあって洗浄後も残存してしまい、結果的に凸欠陥の原因となり得る。あるいは、例えば化学的な洗浄によってフィルム状微小片を除去しても、被研磨物のフィルム状微小片付着部分はフィルム状微小片が付着してなかった部分（非付着部分）と比べて研磨されずに残るので、やはり凸欠陥の原因となり得る。この微小片が、ここに開示される技術における濾過対象である。
【００１９】
上記微小片の長径Ｌは、典型的には１μｍ以上であり得る。所定以上の長さを有するフィルム状微小片は、後述のフィルタ繊維に絡まりやすい形状であるため、フィルタ繊維に捕捉されやすい。例えば、長径Ｌが１．２μｍ以上（例えば１．５μｍ以上、典型的には１．８μｍ以上）のフィルム状微小片は、後述のフィルタ繊維に捕捉される傾向がより大きい。長径Ｌは、フィルム状微小片が長方形状を有する場合は長辺とする。フィルム状微小片は必ずしも矩形状を有するとは限らないため、そのような場合、便宜的に最長径を長径Ｌとすればよい。
【００２０】
また、上記微小片の厚さＬは、典型的には０．１μｍ未満である。フィルム状微小片は薄厚になるほどフィルタを通過しやすくなる一方、小径のフィルタ繊維に絡まりやすくなると考えられる。例えば、厚さＬが０．０７μｍ以下（例えば０．０５μｍ以下、典型的には０．０３μｍ以下）のフィルム状微小片は、後述のフィルタ繊維に捕捉される傾向がより大きい。なかでも、上記長径Ｌと厚さＴとを有するフィルム状微小片は、小径のフィルタ繊維に好適に捕捉される形状を有するため、ここに開示される濾過対象として特に好ましい。
【００２１】
また、ここに開示される技術の好ましい一態様では、上記微小片の厚さＴに対する長径Ｌの比（Ｌ／Ｔ）は、凡そ１０より大きく、１５以上（例えば５０以上、典型的には１００以上）であることが好ましい。上記比（Ｌ／Ｔ）を満たすフィルム状微小片は、小径のフィルタ繊維に好適に捕捉され得る。その理由としては、特に限定的に解釈されるものではないが、上記比（Ｌ／Ｔ）を有するフィルム状微小片は、長尺方向に変形しやすく、小径のフィルタ繊維に絡まりやすいためと推察される。
【００２２】
ここに開示されるフィルム状微小片の長径（典型的には長辺）、短辺および厚さの値は、次の方法で測定される。すなわち、測定対象であるコロイダルシリカ砥粒含有液を、フィルム状微小片を捕捉可能なフィルタにより濾過する。次いで、上記フィルタに捕捉されたフィルム状微小片につき、走査型電子顕微鏡（ＳＥＭ：Scanning Electron Microscope）画像を得る。この画像から、フィルム状微小片１０個を任意に抽出して計測を行い、その平均値を上記値として採用すればよい。より具体的には、測定対象であるコロイダルシリカ砥粒含有液サンプルを２ｍＬ採取し、イオン交換水で１０倍に希釈する。次いで、孔径１〜２μｍ程度の第１メンブレンフィルタで吸引濾過した後、孔径０．３μｍ以下の第２メンブレンフィルタでさらに濾過を行う。上記第２メンブレンフィルタ上の残渣物をＳＥＭにて撮影し、そのＳＥＭ画像から、フィルム状微小片１０個を任意に抽出して計測を行い、その平均値を上記値として採用すればよい。第１メンブレンフィルタとしては、例えば孔径１．２μｍのポリカーボネート製メンブレンフィルタ（日本ミリポア社製の商品名「アイソポアＲＴＴＰ」）を用いることができる。第２メンブレンフィルタとしては、例えば孔径０．２μｍのポリカーボネート製メンブレンフィルタ（ＡＤＶＡＮＴＥＣ社製の商品名「Ｋ０２０Ａ−０４７Ａ」）を用いることができる。
【００２３】
また、上記微小片は、少なくとも、ＳｉＯ２とＮａ等の金属アルカリとを含有するケイ酸アルカリ含有液（例えばケイ酸ナトリウム含有液）を出発原料とするコロイダルシリカの製造において副次的に生成することが判っている。したがって、上記微小片は、少なくとも、上記製法によって得られたコロイダルシリカ砥粒含有液に不可避的に含まれ得る成分である。なお、上記微小片は、少量の金属アルカリを含有し得るシリケート化合物であることが判明している。
【００２４】
（フィルタ）
ここに開示される研磨用組成物の製造方法では、コロイダルシリカ砥粒含有液はフィルタによって濾過されている。このフィルタは、平均繊維径ＤＡＶＥが１μｍ未満のフィルタ繊維から構成されたフィルタ繊維層を備える。これによって、コロイダルシリカ砥粒含有液が上述のフィルム状微小片を含む場合に、該微小片を効率よく除去することができる。上記フィルタ繊維の平均繊維径ＤＡＶＥは、好ましくは０．５μｍ以下（例えば０．４μｍ以下、典型的には０．３μｍ以下）である。特に好ましい平均繊維径ＤＡＶＥは０．２１μｍ以下である。ＤＡＶＥの下限は特に限定されないが、入手容易性等を考慮して通常は０．０５μｍ以上（例えば０．１μｍ以上）であり得る。ここに開示される平均繊維径ＤＡＶＥは、下記の方法で測定された値を採用すればよい。
【００２５】
［平均繊維径ＤＡＶＥの測定方法］
（１）測定対象であるフィルタ試料につき、ＳＥＭ画像を撮影する。画像サイズは特に限定されず、例えば後述の計測点数が１００点程度となるサイズを目安とすればよい。例えば、計測点数が５０〜１５０点（典型的には８０〜１２０点）の範囲内となるサイズが適当である。画像は典型的には矩形状であり、縦横比は通常１：１〜１：２（例えば２：３）の範囲内程度とするのが適当である。
（２）次に、上記で得たＳＥＭ画像の一辺（縦横比２：３の長方形画像の場合、例えば長辺）に平行する直線を１０本、ＳＥＭ画像上に引く。各直線の間隔（上記一辺と直交する方向における間隔）は等間隔であることが望ましいが、測定結果への影響が誤差程度であれば、そこまでの厳密さは要求されない。例えば、上記間隔の各々は、任意の一間隔を基準として、０．５〜２倍の範囲内としてもよい。
（３）そして、上記ＳＥＭ画像において上記１０本の直線と交わるフィルタ繊維について、該直線と交わる線分であって計測可能な線分の長さを計測する。この１線分の長さを１点として、上記計測可能な線分の全部につき、長さを計測する。この長さを各フィルタ繊維の繊維径とする。ここで、直線と交わるフィルタ繊維とは、典型的には直線と交差するフィルタ繊維のことを指し、単に直線と重なっているだけでは「交わる」とはみなされない。例えば、フィルタ繊維が直線と重なってはいるが折れ曲がる等して上記直線を通過していない場合、このフィルタ繊維は上記直線と交わっているとはみなされない。また、計測可能な線分とは、線分の両端を明確に特定できる線分のことを指す。したがって、上記直線とほぼ平行するなどして、当該線分の一端および他端のいずれかが画像外となるような線分は、上記計測可能な線分とならず、その長さは採用されない。また、繊維同士が重なることによって上記線分の一端および他端のいずれかを特定できないフィルタ繊維の線分についても、その長さは採用されない。
（４）上記で計測した全線分の長さ（繊維径）から平均値を求め、これを平均繊維径ＤＡＶＥとして採用する。
後述の実施例においても上記の測定方法が採用される。
【００２６】
平均繊維径ＤＡＶＥが１μｍ未満であることによってコロイダルシリカ砥粒含有液中のフィルム状微小片を効率よく除去し得る理由としては、限定的に解釈されるものではないが、例えば次のことが考えられる。すなわち、上記微小片は上述のように短冊状や帯状等特有の形状を呈しており、コロイダルシリカ砥粒含有液中の濾過に際して自由に変形してフィルタを通過し得る。この変形可能な構造を有するフィルム状微小片は、目開き（典型的には孔径）の相当小さいフィルタをも通過することが可能である。フィルタの目開きをさらに微細化すると、濾過寿命の短縮、圧力損失の上昇を招く虞がある。実際、目開きを微細化しても、フィルム状微小片の捕捉性はあまり改善せず、濾過寿命の短縮等の不利益が増大する傾向がある。そこで本発明者らは、フィルタの目開きではなく、フィルタを構成する繊維の径に着目した。具体的には、図２に示すように、フィルタ繊維Ｆ’の直径（繊維径）がフィルム状微小片Ｘの長さに対して相対的に所定以上の場合、フィルム状微小片Ｘは、変形する等してコロイダルシリカ粒子Ｐとともに濾過流（図２中、矢印で示す流れ）に沿ってフィルタ１を通過してしまう。しかし、フィルタ繊維径がフィルム状微小片Ｘの長さに対して相対的に小さくなると、図３に示すように、各繊維Ｆの一本一本がフィルム状微小片Ｘの絡みつくサイトとして機能し得る。この絡まり作用によってフィルム状微小片Ｘはフィルタ１に捕捉され、コロイダルシリカ砥粒含有液から除去されるものと考えられる。なお、フィルタ繊維径が異なっていても、ほぼ同じ目開き（例えば孔径）、空隙率を確保することは可能なので、フィルタ繊維の小径化それ自体は、濾過寿命、圧力損失、流量に実質的に影響しないものであり得る。したがって、平均繊維径ＤＡＶＥが１μｍ未満のフィルタ繊維から構成されたフィルタ繊維層を用いることにより、濾過寿命、低圧力損失、高流量を確保しつつ、フィルム状微小片だけを高い選択性をもって捕捉する濾過を実施し得る。要するに、ここに開示される技術によると、高い濾過効率とフィルム状微小片の効率的除去とを両立することができる。
【００２７】
また、ここに開示される技術の好ましい一態様では、上記微小片の長径Ｌに対する上記フィルタ繊維の平均繊維径ＤＡＶＥの比（ＤＡＶＥ／Ｌ）は１／２以下であることが好ましい。上記比（ＤＡＶＥ／Ｌ）を満たすことによって、フィルム状微小片は、その長尺方向がフィルタ繊維に絡まりやすい傾向が高まる。上記比（ＤＡＶＥ／Ｌ）は、１／３以下（例えば１／５以下、典型的には１／１０以下）であることがより好ましい。
【００２８】
ここに開示されるフィルタ繊維は、１μｍ未満の繊維径の比率が５０％以上であることが好ましい。これにより、小径のフィルタ繊維によるフィルム状微小片捕捉作用が好適に発揮される。１μｍ未満の繊維径の比率は、７０％以上（例えば８０％以上、典型的には９０％以上）であることがより好ましい。特に好ましい一態様に係るフィルタ繊維は、１μｍ未満の繊維径の比率が９５％以上（例えば９７％以上、典型的には９８％以上）である。また、上記フィルタ繊維は、０．６μｍ以上の繊維径の比率が３０％以下（例えば１０％以下、典型的には５％以下）であることが好ましく、０．４μｍ以上の繊維径の比率が３０％以下（例えば２０％以下、典型的には１５％以下）であることがより好ましい。特に好ましい一態様に係るフィルタ繊維は、０．４μｍ未満の繊維径の比率が５０％以上（例えば８０％以上、典型的には９０％以上）であり、０．２μｍ未満の繊維径の比率が５０%以上（例えば６０％以上、典型的には６５％以上）である。フィルタ繊維の繊維径の比率は、上記平均繊維径ＤＡＶＥの測定方法にしたがって得たフィルタ繊維の繊維径に基づき計測することによって求められる。具体的には、計測した繊維径の総数（全本数）に対する繊維径１μｍ未満の数の比から算出される。したがって、上記比率の単位は本数％と表現され得る。後述の実施例においても上記の測定方法が採用される。計測点数（計測繊維径の総数）は５０〜１５０点（典型的には８０〜１２０点）程度とすればよい。
【００２９】
フィルタ繊維の材質は特に限定されない。ガラス繊維（ＧＦ）、炭素繊維等の無機繊維や、ポリマー繊維等の有機繊維を用いることができる。無機繊維（好適にはＧＦ）は、樹脂を含浸したものが好ましく用いられる。ポリマー繊維としては、例えば、ポリエチレン（ＰＥ）やポリプロピレン（ＰＰ）等のポリオレフィン、ナイロン等のポリアミド、ポリエチレンテレフタレート等のポリエステル、ポリテトラフルオロエチレン（ＰＴＦＥ）等のフッ素樹脂、ポリカーボネート、ポリエーテルスルホン、アクリル樹脂、ポリスチレン、ポリウレタン、セルロース、セルロースアセテートの１種または２種以上からなる繊維を好ましく用いることができる。なかでも、強酸、強アルカリへの耐性等を考慮して、フィルタ繊維は、ポリオレフィン繊維、ポリアミド繊維、ポリエステル繊維、フッ素樹脂繊維が好ましく、ポリプロピレン繊維がより好ましい。また、ＧＦ等の無機繊維の１種または２種以上と、ポリオレフィン繊維、ポリアミド繊維、ポリエステル繊維等の有機繊維の１種または２種以上とを組み合わせて使用してもよい。
【００３０】
また、ここに開示されるフィルタ繊維（ひいてはフィルタ繊維層やフィルタ）は、カチオン化処理されたものであることが好ましい。カチオン化処理されることで、その静電作用によりフィルム状微小片を吸着除去することができる。また、上記カチオン化処理により、フィルタ繊維（ひいてはフィルタ繊維層やフィルタ）は正のゼータ電位を有するものとなり得る。カチオン化処理の方法は特に限定されず、例えばアミン（第一級アミン、第二級アミン、第三級アミン）や第四級アンモニウム等のカチオン性基を有するカチオン性物質（カチオン性ポリアミド）をフィルタ繊維に添加（例えば含浸）する方法が挙げられる。上記カチオン化処理されたフィルタ繊維は、上記のカチオン性物質を保持したものであり得る。
【００３１】
また、ここに開示されるフィルタは、式：
ＮＡ／ＮＢ≦１５／１００
（ＮＢは、該濾過前におけるコロイダルシリカ砥粒含有液の単位体積当たりのフィルム状微小片の個数を示す。ＮＡは、該濾過後におけるコロイダルシリカ砥粒含有液の単位体積当たりのフィルム状微小片の個数を示す。）；を満足するフィルタであることが好ましい。上記ＮＡ／ＮＢを満たすフィルタによると、研磨用組成物からフィルム状微小片が除去または有意に低減され、表面欠陥が高度に低減した高品位表面が実現される。上記比ＮＡ／ＮＢは、１０／１００以下であることがより好ましく、５／１００以下（例えば１／１００以下、典型的には５／１０００以下）であることがさらに好ましい。
【００３２】
上記ＮＡおよびＮＢの測定方法は特に限定されない。ＮＡとＮＢとの相対的関係を求め得る方法であれば、比ＮＡ／ＮＢを求めることができるので、コロイダルシリカ砥粒含有液の単位体積当たりのフィルム状微小片の個数の厳密に求める必要はない。例えば、同じ方法によりＮＡおよびＮＢを測定して、ＮＡとＮＢとの相対的関係を求める方法が好ましく採用される。ＮＡ、ＮＢの測定方法としては、例えば下記の方法を採用すればよい。
【００３３】
［ＮＡ、ＮＢの測定方法］
（１）濾過対象であるコロイダルシリカ砥粒含有液を用意する。コロイダルシリカ砥粒含有液中のコロイダルシリカの含有量は特に限定されないが、例えば約４０重量％とすることが好ましい。
（２）上記で用意したコロイダルシリカ砥粒含有液を定格濾過精度が約１μｍ（例えば０．８〜１．２μｍ、好ましくは１μｍ）の予備濾過フィルタで予備濾過を行い、これをサンプル液とする。予備濾過フィルタとしては、定格濾過精度が１μｍのポリプロピレン製デプスフィルタ（ポール社製の商品名「プロファイルＩＩ」）を用いることができる。
（３）次いで、ＮＡの測定においては、上記で得たサンプル液につき、評価対象フィルタを用いて濾過中の差圧が０．３ＭＰａ以下（例えば０．０５〜０．３ＭＰａ）となるように濾過を行う。ＮＢの測定においては、この手順（３）は省略される。
（４）上記濾過（ＮＢの測定においては、上記予備濾過のみ）を行ったサンプル液を２ｍＬ採取し、イオン交換水で１０倍に希釈する。次いで、孔径１〜２μｍ程度の第１メンブレンフィルタで吸引濾過した後、孔径０．３μｍ以下の第２メンブレンフィルタでさらに濾過を行う。第１メンブレンフィルタとしては、例えば孔径１．２μｍのポリカーボネート製メンブレンフィルタ（日本ミリポア社製の商品名「アイソポアＲＴＴＰ」）を用いることができる。第２メンブレンフィルタとしては、例えば孔径０．２μｍのポリカーボネート製メンブレンフィルタ（ＡＤＶＡＮＴＥＣ社製の商品名「Ｋ０２０Ａ−０４７Ａ」）を用いることができる。
（５）上記第２メンブレンフィルタ上の残渣物をＳＥＭにて撮影し、その約４μｍ×６μｍの長方形ＳＥＭ画像を１視野（観察領域）とし、５０視野からフィルム状微小片の個数を計測し、これをフィルム状微小片残渣として記録する。計測に用いるＳＥＭ画像は１０，０００倍程度とするのが好ましい。
【００３４】
ここに開示されるフィルタの目開きは、研磨用組成物の生産効率の観点から、０．０５μｍ以上が好ましく、より好ましくは０．１μｍ以上である。また、異物や凝集物の除去効果を高める観点から、フィルタの目開きは、１０μｍ以下が好ましく、より好ましくは７μｍ以下、さらに好ましくは５μｍ以下（例えば１μｍ以下、典型的には０．６μｍ以下）である。
【００３５】
フィルタの濾過精度は特に限定されない。例えば、濾過精度が１μｍ未満（例えば、０．０１〜０．８μｍ、典型的には０．０５〜０．６μｍ）のフィルタであって、平均繊維径ＤＡＶＥが１μｍ未満（あるいは０．５μｍ以下、例えば０．４μｍ以下、典型的には０．３μｍ以下）のフィルタ繊維から構成されたフィルタ繊維層を備えるフィルタを好ましく用いることができる。上記濾過精度を有するフィルタのなかから、さらに平均繊維径ＤＡＶＥが１μｍ未満のフィルタ繊維から構成されたフィルタ繊維層を備えるものを選択して用いることにより、粗大粒子等のコロイダルシリカ砥粒含有液中の一般的な異物の除去に加えて、フィルム状微小片の除去を効率よく実現することができる。ここに開示されるフィルタはまた、上記のようにフィルム状微小片に対して高精度濾過を実現しつつ、長寿命や低圧力損失、高流量を実現することができる。上記濾過精度は、メーカーによる定格値を採用すればよい。後述の実施例においても同様である。
【００３６】
ここに開示されるフィルタのメディア形状は特に限定されず、種々の構造、形状、機能を有するフィルタを適宜採用することができる。具体例としては、コロイダルシリカ砥粒含有液の濾過性に優れるプリーツ型やデプス型、デプスプリーツ型のフィルタを採用することが好ましい。なかでも、デプス型、デプスプリーツ型のフィルタがより好ましい。
【００３７】
プリーツ型フィルタは、ひだ折り形状を有するフィルタであり、濾過面積が相対的に大きく、優れた表層濾過機能を有する。また、デプス型フィルタは、所定の厚さを有するフィルタの内部でも濾過機能（深層濾過機能）を有するフィルタである。デプス型フィルタは、典型的には濾材の出口側の孔径が入口側の孔径より小さいフィルタ構造を有しており、上記孔径の変化は連続的または段階的であり得る。これによって、表層濾過だけでなく濾過流方向にも濾過（深層濾過）機能を有するものとなり得る。デプスプリーツ型のフィルタは、デプス型およびプリーツ型の構造的特徴が組み合わさったフィルタである。デプス型やデプスプリーツ型のフィルタは、濾過精度の異なるフィルタメディア（濾材）層を厚さ方向に２層以上配置して構成されたものであり得る。ここに開示されるフィルタを構成するフィルタ繊維層は、そのうちの少なくとも１層であり得る。なお、上記フィルタには、珪藻土等の濾過助剤が含まれていてもよい。
【００３８】
ここに開示されるフィルタを含むフィルタ要素の全体構造は特に限定されない。フィルタ要素は、例えば、実質的に円筒型であり得る。かかるフィルタ要素は、定期的な交換が可能なカートリッジタイプのものであり得る。上記フィルタ要素は、濾材のほかにコア等の他部材を含み得るが、それらについては本発明を特徴づけるものではないので、ここでは特に説明しない。
【００３９】
（コロイダルシリカ砥粒含有液）
ここに開示されるコロイダルシリカ砥粒含有液は、コロイダルシリカ砥粒を含む。コロイダルシリカ砥粒含有液はまたフィルム状微小片を含むが、これについては上述のとおりであるので、ここでは説明は繰り返さない。コロイダルシリカ砥粒含有液に含まれるコロイダルシリカ砥粒は、高品位の表面を実現し得る砥粒として、種々の研磨用途において好ましく使用されている。ここに開示されるコロイダルシリカ砥粒は、一次粒子の形態であってもよく、複数の一次粒子が凝集した二次粒子の形態であってもよい。また、一次粒子の形態の砥粒と二次粒子の形態の砥粒とが混在していてもよい。
【００４０】
コロイダルシリカ砥粒の平均一次粒子径ＤＰ１は特に制限されないが、研磨効率等の観点から、好ましくは５ｎｍ以上、より好ましくは１０ｎｍ以上である。また、より平滑性の高い表面が得られやすいという観点から、上記平均一次粒子径ＤＰ１は、好ましくは１００ｎｍ以下、より好ましくは５０ｎｍ以下、さらに好ましくは４０ｎｍ以下である。ここに開示される技術は、より高品位の表面を得やすい等の観点から、平均一次粒子径ＤＰ１が３５ｎｍ以下（より好ましくは３２ｎｍ以下、例えば３０ｎｍ未満）のコロイダルシリカ砥粒を用いる態様でも好ましく実施され得る。
【００４１】
なお、ここに開示される技術において、砥粒の平均一次粒子径ＤＰ１は、例えば、ＢＥＴ法により測定される比表面積Ｓ（ｍ２／ｇ）から平均一次粒子径ＤＰ１（ｎｍ）＝２７２７／Ｓの式により算出することができる。砥粒の比表面積の測定は、例えば、マイクロメリテックス社製の表面積測定装置、商品名「Ｆｌｏｗ  Ｓｏｒｂ  ＩＩ  ２３００」を用いて行うことができる。
【００４２】
コロイダルシリカ砥粒の平均二次粒子径ＤＰ２は特に限定されないが、研磨速度等の観点から、好ましくは１０ｎｍ以上、より好ましくは２０ｎｍ以上である。また、より平滑性の高い表面を得るという観点から、上記平均二次粒子径ＤＰ２は、２００ｎｍ以下が適当であり、好ましくは１５０ｎｍ以下、より好ましくは１００ｎｍ以下である。ここに開示される技術は、より高品位の表面を得やすい等の観点から、平均二次粒子径ＤＰ２が７０ｎｍ未満（より好ましくは６０ｎｍ以下、例えば５０ｎｍ未満）のコロイダルシリカ砥粒を用いる態様でも好ましく実施され得る。
コロイダルシリカ砥粒の平均二次粒子径ＤＰ２は、対象とする砥粒の水分散液を測定サンプルとして、例えば、日機装株式会社製の型式「ＵＰＡ−ＵＴ１５１」を用いた動的光散乱法により測定することができる。
【００４３】
コロイダルシリカ砥粒の平均二次粒子径ＤＰ２は、一般に砥粒の平均一次粒子径ＤＰ１と同等以上（ＤＰ２／ＤＰ１≧１）であり、典型的にはＤＰ１よりも大きい（ＤＰ２／ＤＰ１＞１）。特に限定するものではないが、研磨効果および研磨後の表面平滑性の観点から、上記ＤＰ２／ＤＰ１は、通常は１．０〜３．０の範囲にあることが適当であり、１．０〜２．５の範囲が好ましく、１．０〜２．３の範囲がより好ましい。
【００４４】
また、ここに開示されるコロイダルシリカ砥粒は、上述のようにケイ酸アルカリ含有液を出発原料として製造されたものであり得る。その場合、コロイダルシリカ砥粒含有液は、出発原料に由来するアルカリ成分を含み得る。そのようなアルカリ成分としては、例えば、Ｎａ、Ｋ、Ｌｉ、Ｒｂ、Ｃｓ等のアルカリ金属類が挙げられる。典型的なコロイダルシリカ砥粒含有液はＮａを含み得る。
【００４５】
コロイダルシリカ砥粒含有液の溶媒（以下、溶媒および分散媒を包含する媒体の意味で用いられる。）は特に限定されないが、典型的には溶媒として水を含む。上記水としては、イオン交換水（脱イオン水）、蒸留水等を好ましく用いることができる。
ここに開示されるコロイダルシリカ砥粒含有液は、必要に応じて、水と均一に混合し得る有機溶剤（低級アルコール、低級ケトン等）をさらに含有してもよい。通常は、コロイダルシリカ砥粒含有液に含まれる溶媒の９０体積％以上が水であることが好ましく、９５体積％以上（典型的には９９〜１００体積％）が水であることがより好ましい。
【００４６】
ここに開示されるコロイダルシリカ砥粒含有液に含まれるコロイダルシリカ砥粒の含有量は特に制限されないが、通常は凡そ０．１重量％以上であり、１重量％以上が適当である。また、上記含有量の上限は、粘度の増大を抑制する観点から、５０重量％以下（例えば４５重量％以下、典型的には４０重量％以下）とするのが適当である。あるいは、ここに開示されるコロイダルシリカ砥粒含有液を、実質的にそのまま研磨液または濃縮液として利用する場合、当該液中におけるコロイダルシリカ砥粒の含有量として、後述の研磨液や濃縮液における砥粒の含有量が好ましく採用され得る。
【００４７】
コロイダルシリカ砥粒含有液はまた、上述のように、上記の濾過処理を経たものをそのまま研磨用組成物として用いることができる。したがって、ここに開示されるコロイダルシリカ砥粒含有液は、後述の研磨用組成物に含有され得る成分を、例えば後述の含有割合で含むものであり得る。
【００４８】
（濾過）
ここに開示されるコロイダルシリカ砥粒含有液は、ここに開示されるフィルタによって濾過される。典型的には、ここに開示される技術はコロイダルシリカ砥粒含有液をフィルタで濾過する操作を含む。濾過の条件（例えば濾過差圧、濾過速度）については、この分野の技術常識に基づき、目標品質や生産効率等を考慮して適宜設定すればよい。ここに開示される濾過は、例えば、濾過差圧０．８ＭＰａ以下（例えば０．５ＭＰａ以下、典型的には０．３ＭＰａ以下）の条件で好ましく実施され得る。濾過の方法は特に限定されず、例えば、常圧で行う自然濾過の他、吸引濾過、加圧濾過、遠心濾過等の公知の濾過方法を適宜採用することができる。
【００４９】
ここに開示される技術の好ましい一態様に係る濾過は、式：
ＮＡ／ＮＢ≦１５／１００
（ＮＢは、該濾過前におけるコロイダルシリカ砥粒含有液の単位体積当たりのフィルム状微小片の個数を示す。ＮＡは、該濾過後におけるコロイダルシリカ砥粒含有液の単位体積当たりのフィルム状微小片の個数を示す。）；を満足する。このようにフィルム状微小片が除去または有意に低減されたコロイダルシリカ砥粒含有液によると、表面欠陥を高度に低減することができる。上記比ＮＡ／ＮＢは、１０／１００以下であることがより好ましく、５／１００以下（例えば１／１００以下、典型的には５／１０００以下）であることがさらに好ましい。上記ＮＡおよびＮＢの測定は、上述の方法が採用される。
【００５０】
また、ここに開示される技術では、上記濾過の前後で、粗大粒子の除去や高精度濾過等の目的に応じて、予備的にまたは多段階に、任意に追加の濾過処理を行ってもよい。例えば、上記追加の濾過処理は、ここに開示される濾過より前に行われ得るものであってもよく、該濾過で用いられるフィルタと同程度の濾過精度を有するフィルタまたは該濾過で用いられるフィルタよりも濾過精度の大きいフィルタを用いての追加の濾過処理であってもよい。あるいはまた、追加の濾過処理は、ここに開示される濾過より後に行われ得るものであってもよく、該濾過で用いられるフィルタと同程度の濾過精度を有するフィルタまたは該濾過で用いられるフィルタよりも濾過精度の小さいフィルタを用いての追加の濾過処理であってもよい。好ましい一態様では、ここに開示される濾過より前に、粗大粒子等の異物を除去することを目的として、上記濾過に用いるフィルタより濾過精度の大きいフィルタを用いて追加の濾過処理を行うものであり得る。この場合、ここに開示される濾過は、多段階濾過のうちの一工程であり得る。
【００５１】
（混合）
ここに開示される研磨用組成物の製造方法は、コロイダルシリカ砥粒含有液がフィルタによって濾過されている他は特に制限はないが、例えば研磨用組成物に含まれる成分を混合する工程を含み得る。典型的には、研磨用組成物は、翼式攪拌機、超音波分散機、ホモミキサー等の周知の混合装置を用いて、研磨用組成物に含まれる各成分を混合して製造することができる。これらの成分を混合する態様は特に限定されず、例えば全成分を一度に混合してもよく、適宜設定した順序で混合してもよい。
【００５２】
＜研磨用組成物＞
ここに開示される研磨用組成物は、コロイダルシリカ砥粒含有液を用いて製造されるものである。そのため、コロイダルシリカ砥粒含有液に含まれるコロイダルシリカ砥粒を含有する。上記研磨用組成物はまた、上記コロイダルシリカ砥粒に加えて、その他の砥粒をさらに含むものであってもよい。あるいはまた、砥粒として上記コロイダルシリカ砥粒のみを含むものであってもよい。上記その他の砥粒の材質や性状は特に制限されず、研磨用組成物の使用目的や使用態様等に応じて適宜選択することができる。砥粒の例としては、無機粒子、有機粒子、および有機無機複合粒子が挙げられる。無機粒子の具体例としては、シリカ粒子、アルミナ粒子、酸化セリウム粒子、酸化クロム粒子、二酸化チタン粒子、酸化ジルコニウム粒子、酸化マグネシウム粒子、二酸化マンガン粒子、酸化亜鉛粒子、ベンガラ粒子等の酸化物粒子；窒化ケイ素粒子、窒化ホウ素粒子等の窒化物粒子；炭化ケイ素粒子、炭化ホウ素粒子等の炭化物粒子；ダイヤモンド粒子；炭酸カルシウムや炭酸バリウム等の炭酸塩等が挙げられる。有機粒子の具体例としては、ポリメタクリル酸メチル（ＰＭＭＡ）粒子やポリ（メタ）アクリル酸粒子（ここで（メタ）アクリル酸とは、アクリル酸およびメタクリル酸を包括的に指す意味である。）、ポリアクリロニトリル粒子等が挙げられる。このようなその他の砥粒は、１種を単独で用いてもよく、２種以上を組み合わせて用いてもよい。
【００５３】
上記その他の砥粒としては、無機粒子が好ましく、なかでも金属または半金属の酸化物からなる粒子が好ましい。その他の砥粒はシリカ粒子であってもよい。シリカ粒子の具体例としては、コロイダルシリカ、フュームドシリカ、沈降シリカ等が挙げられる。その他の砥粒として用いられるコロイダルシリカは、ケイ酸アルカリ含有液を出発物質とする方法以外の方法（例えばゾルゲル法）により製造されたものである。
【００５４】
また、ここに開示される研磨用組成物は、フィルム状微小片が除去または有意に低減されたものであり得る。したがって、研磨用組成物は、単位体積当たりのフィルム状微小片の個数Ｎが、１５以下（例えば１０以下、典型的には５以下）であることが好ましい。上記Ｎの測定は、上述のＮＢの測定方法と同じ方法を採用すればよい。
【００５５】
ここに開示される研磨用組成物に含まれる溶媒としては、コロイダルシリカ砥粒含有液の溶媒と同じものを好ましく使用することができる。したがって、ここでは繰返しの説明は行わない。
【００５６】
ここに開示される研磨用組成物（典型的にはスラリー状の組成物）は、例えば、その固形分含量（non-volatile content；ＮＶ）が０．０１重量％〜５０重量％であり、残部が水系溶媒（水または水と上記有機溶剤との混合溶媒）である形態、または残部が水系溶媒および揮発性化合物である形態で好ましく実施され得る。上記ＮＶが０．０５重量％〜４０重量％である形態がより好ましい。なお、上記固形分含量（ＮＶ）とは、研磨用組成物を１０５℃で２４時間乾燥させた後における残留物が上記研磨用組成物に占める重量の割合を指す。
【００５７】
ここに開示される研磨用組成物は、本発明の効果が著しく妨げられない範囲で、研磨促進剤、水溶性高分子、防腐剤、防カビ剤、界面活性剤、キレート剤、ｐＨ調整剤等の、研磨用組成物（例えば磁気ディスク基板用の研磨用組成物、典型的にはガラス基板の研磨に用いられる研磨用組成物）に含まれ得る公知の添加剤を、必要に応じてさらに含有してもよい。ここに開示される技術はまた、研磨用組成物が研磨促進剤、水溶性高分子、界面活性剤、キレート剤、ｐＨ調整剤等の添加剤を含まない態様で実施されてもよい。
【００５８】
研磨促進剤の例としては、金属材料の研磨では、酸化剤、酸およびその塩が挙げられる。酸化剤の例としては、過酸化物、硝酸またはその塩、ペルオキソ酸またはその塩、過マンガン酸またはその塩、クロム酸またはその塩等が挙げられるが、これらに限定されない。このような酸化剤は、１種を単独で用いてもよく、２種以上を適宜組み合わせて用いてもよい。酸化剤の具体例としては、過酸化水素、硝酸、硝酸鉄、硝酸アルミニウム、ペルオキソ二硫酸、過ヨウ素酸、臭素酸、過塩素酸、次亜塩素酸、過硫酸、それらの塩（例えばナトリウム塩、カリウム塩、アンモニウム塩）等、が挙げられる。好ましい酸化剤として、過酸化水素、硝酸鉄、ペルオキソ二硫酸および硝酸が例示される。ガラス材料の研磨では、アルカリ剤、酸およびその塩が例示される。
【００５９】
酸の例としては、鉱酸（硝酸、硫酸、塩酸、リン酸等）や有機酸（炭素原子数が１〜１０程度の有機カルボン酸、有機ホスホン酸、有機スルホン酸等）が挙げられるが、これらに限定されない。有機酸の具体例としては、クエン酸、マレイン酸、リンゴ酸、グリコール酸、コハク酸、イタコン酸、マロン酸、イミノ二酢酸、グルコン酸、乳酸、マンデル酸、酒石酸、クロトン酸、ニコチン酸、酢酸、アジピン酸、ギ酸、シュウ酸、メチルアシッドホスフェート、エチルアシッドホスフェート、エチルグリコールアシッドホスフェート、イソプロピルアシッドホスフェート、フィチン酸、１−ヒドロキシエチリデン−１，１−ジホスホン酸、メタンスルホン酸、等が挙げられる。このような酸は、典型的には前述の酸化剤と合わせて用いられることにより、研磨促進剤として効果的に作用し得る。研磨効率の観点から好ましい酸として、メタンスルホン酸、硫酸、硝酸、フィチン酸、１−ヒドロキシエチリデン−１，１−ジホスホン酸等が例示される。なかでも硝酸、メタンスルホン酸が好ましい。なお、酸は、該酸との塩の形態で用いられてもよい。酸の塩としては特に制限はなく、例えば適当な金属やアンモニウム等との塩が挙げられる。
【００６０】
アルカリ剤の例としては、例えばアルカリ金属塩、アルカリ土類金属塩またはアンモニウム塩が挙げられる。好適例としては、水酸化カリウム、炭酸カリウム、炭酸水素カリウム、炭酸ナトリウム、炭酸アンモニウム、リン酸カリウム、リン酸水素カリウム、リン酸ナトリウム、リン酸水素ナトリウム、リン酸水素アンモニウム、クエン酸カリウム、シュウ酸カリウム、シュウ酸水素アンモニウム、酒石酸カリウム、酒石酸カリウムナトリウム、酒石酸アンモニウム、酒石酸水素アンモニウム、臭素酸カリウム、ソルビン酸カリウム、塩素酸カリウム、過塩素酸カリウム、硝酸カルシウム、グルコン酸カリウム、コハク酸カリウム、フッ化カリウム、フッ化カルシウム、フッ化アンモニウム、過ヨウ素酸カリウム、フェリシアン化カリウム、酢酸アンモニウム、水酸化テトラメチルアンモニウムの１種または２種以上が挙げられる。なかでも、水酸化カリウム、炭酸カリウム、炭酸水素カリウム、炭酸ナトリウム、炭酸アンモニウム、リン酸カリウム、リン酸水素カリウム、リン酸ナトリウム、リン酸水素ナトリウム、リン酸水素アンモニウムがより好ましい。
【００６１】
ここに開示される研磨用組成物は、水溶性高分子をさらに含有してもよい。水溶性高分子をさらに含有させることにより、研磨用組成物による研磨後の表面粗さ（例えば、磁気ディスク基板の表面粗さ）がより一層低減され得る。水溶性高分子としては、ポリイソプレンスルホン酸、ポリビニルスルホン酸、ポリアリルスルホン酸、ポリイソアミレンスルホン酸、ポリスチレンスルホン酸塩、ポリアクリル酸塩、ポリ酢酸ビニル、ポリエチレングリコール等が挙げられる。
【００６２】
防腐剤および防カビ剤の例としては、イソチアゾリン系化合物、パラオキシ安息香酸エステル類、フェノキシエタノール等が挙げられる。
【００６３】
＜用途＞
ここに開示される研磨用組成物は、種々の材質および形状を有する被研磨物の研磨に適用され得る。被研磨物の材質は、例えば、シリコン、アルミニウム、ニッケル、タングステン、銅、タンタル、チタン、ステンレス鋼等の金属もしくは半金属、またはこれらの合金；石英ガラス、アルミノシリケートガラス、ガラス状カーボン等のガラス状物質；アルミナ、シリカ、サファイア、窒化ケイ素、窒化タンタル、炭化チタン等のセラミック材料；炭化ケイ素、窒化ガリウム、ヒ化ガリウム等の化合物半導体基板材料；ポリイミド樹脂等の樹脂材料；等であり得る。これらのうち複数の材質により構成された被研磨物であってもよい。なかでも、ガラス基板の研磨に好適である。ここに開示される技術は、例えば、砥粒としてコロイダルシリカ粒子を含む研磨用組成物（典型的には、砥粒としてコロイダルシリカシリカ粒子のみを含む研磨用組成物）であって、研磨対象物がガラス基板である研磨用組成物に対して特に好ましく適用され得る。
被研磨物の形状は特に制限されない。ここに開示される研磨用組成物は、例えば、板状や多面体状等の、平面を有する被研磨物の研磨に好ましく適用され得る。
【００６４】
ここに開示される研磨用組成物は、被研磨物のポリシングに好ましく使用され得る。したがって、この明細書によると、上記研磨用組成物を用いたポリシング工程を含む研磨物の製造方法（例えば、ガラス基板の製造方法）が提供される。
【００６５】
＜研磨液＞
ここに開示される研磨用組成物は、典型的には該研磨用組成物を含む研磨液の形態で被研磨物に供給されて、その被研磨物の研磨に用いられる。上記研磨液は、例えば、ここに開示されるいずれかの研磨用組成物を希釈（典型的には、水により希釈）して調製されたものであり得る。あるいは、該研磨用組成物をそのまま研磨液として使用してもよい。すなわち、ここに開示される技術における研磨用組成物の概念には、被研磨物に供給されて該被研磨物の研磨に用いられる研磨液（ワーキングスラリー）と、希釈して研磨液として用いられる濃縮液（研磨液の原液）との双方が包含される。ここに開示される研磨用組成物を含む研磨液の他の例として、該組成物のｐＨを調整してなる研磨液が挙げられる。
【００６６】
ここに開示される研磨液における砥粒の含有量は特に制限されないが、通常は０．０１重量％以上であり、０．０５重量％以上であることが好ましく、より好ましくは０．１重量％以上、さらに好ましくは０．１５重量％以上（例えば１重量％以上、典型的には３重量％以上）である。砥粒の含有量の増大によって、より高い研磨速度が実現され得る。経済性の観点から、通常は、上記含有量は５０重量％以下が適当であり、好ましくは４０重量％以下、より好ましくは３０重量％以下である。あるいはまた、上記含有量は１０重量％以下であってもよく、例えば７重量％以下、典型的には５重量％以下（さらには２重量％以下あるいは１重量％以下）である。
【００６７】
研磨促進剤としての酸化剤を含む態様では、研磨液中における該酸化剤の含有量（複数の酸化剤を含む場合には、それらの合計含有量）を、例えば０．０１ｇ／Ｌ以上とすることができる。上記含有量は、研磨レート等の観点から、好ましくは０．１ｇ／Ｌ以上、より好ましくは０．５ｇ／Ｌ以上である。また、研磨組成物の経済性の観点から、酸化剤の含有量は、１００ｇ／Ｌ以下が適当であり、好ましくは７５ｇ／Ｌ以下、より好ましくは６０ｇ／Ｌ以下である。
【００６８】
酸を含む態様では、研磨液中における該酸の含有量（複数の酸を含む態様では、それらの合計含有量）を、例えば０．１ｇ／Ｌ以上とすることができる。上記含有量は、研磨レート等の観点から、好ましくは０．５ｇ／Ｌ以上、より好ましくは１ｇ／Ｌ以上、さらに好ましくは５ｇ／Ｌ以上である。また、研磨組成物の貯蔵安定性等の観点から、上記含有量は、７０ｇ／Ｌ以下が適当であり、好ましくは５０ｇ／Ｌ以下、例えば３０ｇ／Ｌ以下である。
【００６９】
アルカリ剤を含む態様では、研磨液中における該アルカリ剤の含有量（複数のアルカリ剤を含む態様では、それらの合計含有量）を、例えば０．１ｇ／Ｌ以上とすることができる。上記含有量は、研磨レート等の観点から、好ましくは０．５ｇ／Ｌ以上、より好ましくは１ｇ／Ｌ以上、さらに好ましくは５ｇ／Ｌ以上である。また、研磨組成物の貯蔵安定性等の観点から、上記含有量は、７０ｇ／Ｌ以下が適当であり、好ましくは５０ｇ／Ｌ以下、例えば３０ｇ／Ｌ以下である。
【００７０】
水溶性高分子を含む態様では、研磨液中における該水溶性高分子の含有量（複数の水溶性高分子を含む態様では、それらの合計含有量）を、例えば０．０１ｇ／Ｌ以上とすることが適当である。上記含有量は、表面平滑性等の観点から、好ましくは０．０５ｇ／Ｌ以上、より好ましくは０．０８ｇ／Ｌ以上、さらに好ましくは０．１ｇ／Ｌ以上である。また、研磨レート等の観点から、上記含有量は、１０ｇ／Ｌ以下とすることが適当であり、好ましくは５ｇ／Ｌ以下、例えば１ｇ／Ｌ以下である。
【００７１】
研磨液のｐＨは特に制限されない。例えば、ｐＨ１２．０以下（例えばｐＨ１．０以上１２．０以下）とすることができ、ｐＨ１０．０未満（例えばｐＨ５．０以下、典型的にはｐＨ３．０以下）が好ましい。上記ｐＨは、例えば、ガラス基板の研磨に用いられる研磨液（例えばポリシング用の研磨液）に好ましく適用され得る。
【００７２】
＜濃縮液＞
ここに開示される研磨用組成物は、被研磨物に供給される前には濃縮された形態（すなわち、研磨液の濃縮液の形態）であってもよい。このように濃縮された形態の研磨用組成物は、製造、流通、保存等の際における利便性やコスト低減等の観点から有利である。濃縮倍率は、例えば、体積換算で２倍〜１００倍程度とすることができ、通常は２倍〜５０倍程度が適当である。好ましい一態様に係る研磨用組成物の濃縮倍率は、例えば２倍〜１０倍である。
【００７３】
このように濃縮液の形態にある研磨用組成物は、所望のタイミングで希釈して研磨液を調製し、その研磨液を被研磨物に供給する態様で使用することができる。上記希釈は、典型的には、上記濃縮液に前述の水系溶媒を加えて混合することにより行うことができる。また、上記水系溶媒が混合溶媒である場合、該水系溶媒の構成成分のうち一部の成分のみを加えて希釈してもよく、それらの構成成分を上記水系溶媒とは異なる量比で含む混合溶媒を加えて希釈してもよい。また、後述するように多剤型の研磨用組成物においては、それらのうち一部の剤を希釈した後に他の剤と混合して研磨液を調製してもよく、複数の剤を混合した後にその混合物を希釈して研磨液を調製してもよい。
【００７４】
上記濃縮液のＮＶは、例えば５０重量％以下とすることができる。研磨用組成物の安定性（例えば、砥粒の分散安定性）や濾過性等の観点から、通常、濃縮液のＮＶは、４０重量％以下とすることが適当である。また、製造、流通、保存等の際における利便性やコスト低減等の観点から、濃縮液のＮＶは、０．５重量％以上とすることが適当であり、好ましくは１重量％以上、より好ましくは３重量％以上、例えば５重量％以上である。
【００７５】
ここに開示される濃縮液における砥粒の含有量は、例えば５０重量％以下とすることができる。研磨用組成物の安定性（例えば、砥粒の分散安定性）や濾過性等の観点から、通常、上記含有量は、好ましくは４５重量％以下であり、より好ましくは４０重量％以下である。好ましい一態様において、砥粒の含有量を３０重量％以下としてもよく、２０重量％以下（例えば１５重量％以下）としてもよい。また、製造、流通、保存等の際における利便性やコスト低減等の観点から、砥粒の含有量は、例えば０．５重量％以上とすることができ、好ましくは１重量％以上、より好ましくは３重量％以上（例えば５重量％以上）である。
【００７６】
ここに開示される研磨用組成物は、一剤型であってもよく、二剤型を始めとする多剤型であってもよい。例えば、該研磨用組成物の構成成分のうち一部の成分を含むＡ液と、残りの成分を含むＢ液とが混合されて被研磨物の研磨に用いられるように構成され得る。
【００７７】
＜研磨＞
ここに開示される研磨用組成物は、例えば以下の操作を含む態様で、被研磨物の研磨に使用することができる。以下、ここに開示される研磨用組成物を用いて被研磨物を研磨する方法の好適な一態様につき説明する。
すなわち、ここに開示されるいずれかの研磨用組成物を含む研磨液（典型的にはスラリー状の研磨液であり、研磨スラリーと称されることもある。）を用意する。上記研磨液を用意することには、研磨用組成物に濃度調整（例えば希釈）、ｐＨ調整等の操作を加えて研磨液を調製することが含まれ得る。あるいは、上記研磨用組成物をそのまま研磨液として使用してもよい。また、多剤型の研磨用組成物の場合、上記研磨液を用意することには、それらの剤を混合すること、該混合の前に１または複数の剤を希釈すること、該混合の後にその混合物を希釈すること、等が含まれ得る。
【００７８】
次いで、その研磨液を被研磨物に供給し、常法により研磨する。例えば、ガラス基板のポリシングを行う場合には、ラッピング工程および予備ポリシング工程を経たガラス基板を一般的な研磨装置にセットし、該研磨装置の研磨パッドを通じて上記ガラス基板の表面（被研磨面）に研磨液を供給する。典型的には、上記研磨液を連続的に供給しつつ、ガラス基板の表面に研磨パッドを押しつけて両者を相対的に移動（例えば回転移動）させる。かかる研磨工程を経て被研磨物の研磨が完了する。
なお、上記研磨工程で使用される研磨パッドは特に限定されない。例えば、不織布タイプ、スウェードタイプ、砥粒を含むもの、砥粒を含まないもの等のいずれを用いてもよい。なかでも、スウェードタイプが好ましい。
【００７９】
＜洗浄＞
また、ここに開示される研磨用組成物を用いて研磨された研磨物は、典型的には、研磨後に洗浄される。この洗浄は、適当な洗浄液を用いて行うことができる。洗浄液の温度は、例えば常温〜９０℃程度とすることができる。洗浄効果を向上させる観点から、５０℃〜８５℃程度の洗浄液を好ましく使用し得る。
【００８０】
以下、本発明に関するいくつかの実施例を説明するが、本発明をかかる実施例に示すものに限定することを意図したものではない。なお、以下の説明において「部」および「％」は、特に断りがない限り重量基準である。
【００８１】
＜実施例１〜３、比較例１〜４＞
表１に示す各フィルタを用いて下記の方法で濾過試験を行った。なお、表１中、ＧＦはガラス繊維、ＰＰはポリプロピレンの略である。
【００８２】
［濾過試験］
（１）コロイダルシリカ砥粒（平均一次粒子径１６ｎｍ）を約４０％の割合で含有する水性液（コロイダルシリカ砥粒含有液）を用意し、ポール社製のプロファイルＩＩ（定格濾過精度１μｍ）で予備濾過を行った。これをサンプル液として用いた。
（２）上記で得たサンプル液につき、各例に係るフィルタを用いて濾過中の差圧が０．２５ＭＰａ以下となるように濾過を行った。
（３）上記濾過を行ったサンプル液を２ｍＬ採取し、イオン交換水で１０倍に希釈した。次いで、孔径１．２μｍの第１メンブレンフィルタ（日本ミリポア社製のポリカーボネート製メンブレンフィルタ、商品名「アイソポアＲＴＴＰ」）で吸引濾過した後、孔径０．２μｍの第２メンブレンフィルタ（ＡＤＶＡＮＴＥＣ社製のポリカーボネート製メンブレンフィルタ、商品名「Ｋ０２０Ａ−０４７Ａ」）でさらに濾過を行った。
（４）上記第２メンブレンフィルタ上の残渣物をＳＥＭにて撮影し、その約４μｍ×６μｍの長方形ＳＥＭ画像を１視野（観察領域）とし、５０視野からフィルム状微小片の個数を計測し、これを微小片残渣として記録した。計測に用いたＳＥＭ画像は１０，０００倍であった。結果を表１に示す。
【００８３】
【表１】
2015071659.tif 000002
【００８４】
表１に示されるように、平均繊維径ＤＡＶＥが１μｍ未満のフィルタ繊維から構成されたフィルタ繊維層を備えるフィルタでコロイダルシリカ砥粒含有液に対して濾過を行った実施例１〜３は、平均繊維径ＤＡＶＥが１μｍ以上のフィルタ繊維から構成されたフィルタ繊維層を備えるフィルタで濾過を行った比較例１〜４と比べて、フィルム状微小片の個数が有意に低減された。実施例１〜３、比較例１〜４のフィルタはいずれも濾過精度が０．１〜０．４５μｍの範囲内であることから、濾過精度ではなく、小径のフィルタ繊維がフィルム状微小片を絡めとる作用によって、上記微小片の濾過（捕捉）が効率よく行われたものと推察される。
【００８５】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
【符号の説明】
【００８６】
Ｆ  フィルタ繊維
Ｘ  フィルム状微小片
Ｐ  コロイダルシリカ粒子
１  フィルタ
【図２】
2015071659.tif 000003
【図３】
2015071659.tif 000004
【図１】
2015071659.tif 000005